(57)【要約】  導管を覆って配置されるように構成されているリング部材を備える導管取付具１０であって、上記リング部材は貫通軸及び周方向の半径方向外面を有し、該面は、周方向に実質的に円形の弓状トラックを画定するように軸方向に離間した肩部１５を有し、上記トラックはケーブルタイを受け入れるように構成されている、導管取付具。リング部材は、該リング部材の開閉を可能にするように分割されており、リビングヒンジ１３によって接続されている半円形のリング部分を含み、上記リング部材は、該リング部材の閉状態で係合可能である解放可能なラッチ１８を含み、装着基材と係合する拘束部分を更に含む。【選択図】図１
2013501900.tif 000002
【特許請求の範囲】
【請求項１】
導管を覆って配置されるように構成されているリング部材を備える導管取付具であって、前記リング部材は貫通軸及び周方向の半径方向外面を有し、前記面は、周方向に弓状のトラックを画定するように軸方向に離間した肩部を有し、前記トラックはケーブルタイを受け入れるように構成されている、導管取付具。
【請求項２】
前記トラックは実質的に円形である、請求項１に記載の取付具。
【請求項３】
前記肩部は不連続的である、請求項１又は２に記載の取付具。
【請求項４】
前記リング部材は、前記リング部材の開閉を可能にするように分割されている、請求項１〜３のいずれか１項に記載の取付具。
【請求項５】
前記リング部材は半円形のリング部分を含む、請求項４に記載の取付具。
【請求項６】
前記リング部材は接続されている、請求項５に記載の取付具。
【請求項７】
前記リング部材はリビングヒンジによって接続されている、請求項６に記載の取付具。
【請求項８】
前記リング部材は、前記リング部材の閉状態で係合可能なラッチを含む、請求項４〜７のいずれか１項に記載の取付具。
【請求項９】
前記ラッチは解放可能である、請求項８に記載の取付具。
【請求項１０】
装着基材と係合する拘束部分を更に含む、請求項１〜９のいずれか１項に記載の取付具。
【請求項１１】
前記拘束部分は開口を含む、請求項１０に記載の取付具。
【請求項１２】
前記拘束部分はスナップ嵌め突起を含む、請求項１０に記載の取付具。
【請求項１３】
前記トラックは前記拘束部分と前記リング部材との間に延びる、請求項１０〜１２のいずれか１項に記載の取付具。
【請求項１４】
各肩部は複数の等間隔に離間した肩部分を含み、肩部分の隣接端は前記貫通軸の方向において同一平面上にある、請求項１〜１３のいずれか１項に記載の取付具。
【請求項１５】
各肩部は、４つの等間隔に離間した平坦面を画定する４つの等間隔に離間した肩部分を含む、請求項１４に記載の取付具。
【発明の詳細な説明】
【技術分野】
【０００１】
本発明は、導管用クリップに関し、特にパイプ、シース、ケーブル及びケーブル束用の環状保持クリップに関する。
【背景技術】
【０００２】
一般的に、流体用又は電気用の導管は、保持目的で基礎構造物へのクリップ留めを必要とする。そのような導管は多くの場合に可撓性であり、端取付場所間で指定された経路を辿るように拘束されなければならない。例えば、車両のケーブルハーネスは、歪むこと、又は高温構成要素及び／若しくは移動構成要素からの損傷のリスクなしに、構成要素に接続されるようにエンジンベイの周りにクリップ留めされることが必要である。
【０００３】
一般的なケーブルクリップは、装着場所、例えば車両シャーシに取着されている成形プラスチック構成要素を含み、これに導管が例えばスナップ嵌めによって取り付けられる。そのような構成は、例えば導管の裏側の構成要素にアクセスする必要がある場合に、導管を取り外して元に戻すことを可能にするが、一般的には、導管が正確に同じ場所に戻されることを確実にしない。ねじ留めされる構成要素のような取り外し可能な部品を有するクリップは、取り外したときに紛失するリスクがあるため望ましくない。導管が多くの分岐を有する場合にも問題が生じ、取り外して元に戻す間に、意図される取付経路が忘れられてしまう。
【０００４】
導管用クリップは代替的に、導管とともに成形することができるか、又は導管に沿う移動を防止するようにして導管に取り付けることができる。この場合、クリップの位置は導管に対して固定されるが、最初の取り外し時に取付具が損傷を受ける可能性があり、したがって導管を装着場所に再び固定することができない。これは、ファーツリーコネクター（fir-tree connector）等を有する一体の成形クリップに関して特に問題となる。
【０００５】
これらの問題は、取替用のクリップ及び／又は固定具を提供することによって軽減することができるが、この解決策は、修理員に、実際には手配が容易ではない正確な交換部品を提供する必要がある。さらに、多くの異なる種類の導管用クリップが用いられており、修理員はどの種類に出くわすことになるかが分からない可能性がある。
【発明の概要】
【発明が解決しようとする課題】
【０００６】
必要とされているのは、導管にしっかりと取り付けられ、必要であれば導管から取り外し可能であり、損傷を受けることなく基礎構造物に繰り返し取り付けるのに好適であり、かつ様々な固定方法への適合に好適であることができる機能を持った、安価であり万能な種類の導管用クリップである。
【課題を解決するための手段】
【０００７】
本発明の第１の態様によると、導管を覆って配置されるように構成されているリング部材を備える導管取付具であって、リング部材は貫通軸及び周方向の半径方向外面を有し、該面は、周方向に弓状のトラックを画定するように軸方向に離間した肩部を有し、トラックはケーブルタイを受け入れるように構成されている、導管取付具が提供される。
【０００８】
そのような取付具は、従来の可撓性プラスチックケーブルタイによって導管及び基材に固定することができ、肩部によって、装着場所に対しての導管の方向への相対移動を防止することができる。
【０００９】
好ましい実施の形態では、取付具の半径方向内周面は、取付具を通る導管の相対的な軸方向移動を防止するために使用時に導管を把持するように変更される。
【００１０】
リング部材の内周面は、リング部材内で導管と確実に係合するように構成されている半径方向内向きの突起を含むことができる。そのような突起は例えば、貫通軸上での相対移動を防止するように使用時に導管をきつく把持する１つ又は複数の周方向直立部を含むことができる。
【００１１】
把持パターン、すなわち比較的ソフトな層又は接着剤層を、内周面に設けることができる。そのような表面処理は、使用時に導管の周りにクランプされたときに軸方向移動に対する抵抗を高める。
【００１２】
好ましい実施の形態では、リング部材は、該リング部材の開閉が可能であるように分割されている。一般的に、複数の弓状のリング部分が、使用時に導管の周りに閉リングを画定するように一緒に締結されている。好ましくは、半円形のリング部分が一緒に蝶着されており、これらの部分には、導管の周囲を閉鎖可能であるようにそれぞれの締結ラッチが設けられている。ケーブルタイが使用時にリング部材を閉状態にクランプすることが理解されるであろう。ヒンジは、プラスチックで成形される場合、好ましくは一体型リビングヒンジである。
【００１３】
各ラッチは、外れることを防止するように一方向ラッチとすることができる。好ましくは、ラッチは、対応する雌型凹部に係合可能な弓状の雄型突起を含む。
【００１４】
一実施の形態では、ラッチは、リング部材の内周面と面一であるように、該内周面と隣接しているとともに該内周面に設けられている凹部に係合可能な突起を含む。そのような構成は、幾つかの状況において有用であり得る表面凹部ラッチを提供する。好ましくは、上記凹部の雄型直立部が、上記突起の開口と係合する。
【００１５】
離間している肩部は、リング部材の直立リブ又は環状凹部によって画定することができる。好ましくは、上記肩部間に画定されている弓状のトラックは実質的に平滑である。
【００１６】
好ましい実施の形態では、肩部は、それぞれが９０度未満の円弧を描き得る不連続的な直立リブ部分によって画定される。一実施の形態では、４つの等間隔に離間したリブ部分が、上記トラックの各側に対称に設けられており、各リブ部分は直線状のフランクを有し、隣接するリブ部分のフランクは同一平面上にある。隣接するリブ部分の各対は好ましくは、隣接する構成要素又は基材と協働する平坦な装着部を画定する。この構成は、リング部材を隣接する構成要素に密着させることを可能にし、隣接する構成要素に対するリング部材の相対的な回転を防止する回転防止機能部も含む。隣接する構成要素は例えば、装着面、又はその横に配置される別のリング部材であり得る。
【００１７】
好ましい実施の形態では、各フランクの端は、使用時に導管と基材との間の距離を最小限に抑えるように周方向トラックと実質的に合流する。
【００１８】
リング部材の１つの向きでのみ平坦な装着面が必要である場合、この平坦な装着面を画定するには１つのセットの対面するリブ部材で十分であり得る。複数の装着面を必要に応じて画定することができるが、装着面の数が増えると、装着面積が減ることによって実際的な目的で使用するときのリング部材の安定性が低下するため、装着面の数は８を超えないことが理解されるであろう。好ましい実施の形態では、４つの等間隔に離間した装着面は４つの対面する対のリブ部分によって画定される。
【００１９】
平坦なフランク面間、端部間で、各リブ部分は、貫通軸上に中心決めされているとともに実質的に一定の高さを有する円弧を描くことができる。この円弧は一般的には３０度〜４５度の範囲内にあり得る。
【００２０】
リブ又はリブ部分は、材料の断面を増やすことなく付加的な周方向強度又は圧縮強度を与えるために貫通軸の方向に増加させることができる。例えば、２つのリブが、周方向トラックの各側に或る間隔を置いて存在し得る。これから説明するように、付加的なリブ又はリブ部分も代替的な構成要素の機能部を容易にすることができる。好ましい装着面を画定するために複数のリブ部分を設けることができる
【００２１】
リング部材は、導管の端を構成するように構成することができ、それによって、円形であり得る周方向内側直立部が、リング部材内に受け入れられる導管の端と係合する。そのような直立部は一般的には、一方の側にのみ設けられ、リング部材において導管から突出するケーブル又は流体管路のアールの付いた口を更に画定することができる。直立部は例えば、パイプ又はケーブルシースの終端部を提供することができる。
【００２２】
本発明の取付具は、従来のケーブルタイとの使用を意図されることが理解され、このケーブルタイは既知の形態であり本明細書では更に説明する必要はない。ケーブルタイは広く入手可能な物品であり、本発明による取付具がケーブルタイを切断することによって解放される場合、肩部間の距離よりも小さい幅を有する取替用ケーブルタイを適用して締結することによって再び取り付けられる。
【００２３】
取付具は好ましくは、一体のプラスチック成形品であり、外側肩部によって機能及び適用が直感的に理解できる（intuitive）。最も重要には、取付具は、対応する取付場所から解放される場合に導管上のその基準位置を保つように構成することができる。取付具の内孔は、所望であれば密なクランプフイットを与えるよう、当該導管に適するように選択することができる。
【００２４】
ケーブルタイは、取付具を好適な孔あきマウントに固定するために用いることができるか、又は一般的に入手可能なケーブルタイの変形は、一体成形されたファーツリー固定具等の好適なマウントを含むことができる。
【００２５】
リング部材は、取付部材、例えば一体的に形成されたファーツリー装着部、矢印形装着部、ｐ−クリップ装着部、又はスタッド装着部を更に含むことができる。そのような構成は、ケーブルタイによる装着の選択肢も維持しながら、リング部材の装着の可能性を高める。
【００２６】
好ましい実施の形態では、導管取付具は、リビングヒンジによって接合されている２つの実質的に半円形の部材を有するプラスチック成形品を含む。付加的な取付部材を導管取付具に一体成形することができ、この取付部材は好ましくは、金型工具インサートを変えることによる代替を容易にするようにリビングヒンジと実質的に反対側にある。好ましい実施の形態では、付加的な取付部材は、リング部材の第１の半円形部分の一方の端に成形され、第１の半円形部分の他方の端は一体ヒンジによって第２の半円形のリング部分に取着される。付加的な取付部材の取着方向は好ましくは、リング部材の直径方向にあるか、又は直径方向に直交する平面内にある。好ましくは、付加的な取付部材は、導管取付具の周方向に貫通孔を画定し、ケーブルタイを受け入れるように構成されている。このように、ケーブルタイを、導管取付具の周りに該導管取付具の外周の大部分にわたって、典型的にはその外周の３００度〜３４０度で接触して密に巻き付けることができる。
【００２７】
本発明の導管用クリップは、一方では、相対的な軸方向移動を防止するように構成される導管への確実な固定を提供し、他方では、装着基材に対する相対移動を防止するようにケーブルタイによる保持を可能にすることが理解されるであろう。
【００２８】
本発明の第２の態様によると、リビングヒンジによって接続されている２つの半円形の部分と、付加的なクリップ取付部材とからなる導管用クリップの金型工具が提供される。
【００２９】
金型工具は、上記半円形の部分が共通の第１の方向へ窪むように並んで成形される第１の金型キャビティを画定し、上記第１の方向は、大きい型開き方向を含み、上記金型工具は、付加的な取付部材のための半円形の金型キャビティの一端に分離可能な第２の金型キャビティを画定し、該第２の金型キャビティは、上記第１の方向であるか又は該第１の方向に直交する小さい型開き方向を有する。
【００３０】
したがって、大きい型開き方向は、並んでいる半円形の金型キャビティの概ね半径方向の分離軸を有する。小さい型開き方向は、導管用クリップと一体成形されるべきである付加的な取付部材の種類が多岐にわたることを可能にするように、同じ方向にあるか又はこの方向に直交する方向にあるものとすることができる。第２の金型キャビティは、半円形の部分の金型キャビティの、これらの部分の間のヒンジ領域と概ね反対側の一端にある。
【００３１】
例えば、異なる種類の付加的な取付部材は異なる型開き方向を必要とする場合があるが、本発明は、導管用クリップの金型が種々の金型インサート（該金型インサートによって、所望の取付具を有する導管用クリップを形成することができる）を有する（又は全く有しない）ことを可能にすることが理解されるであろう。このことは、各種類の導管用クリップ用の完全な金型は必要とされないが、１つの金型を、成形される取付部材の型開き方向又は離型方向を制限しないように位置決めされる成形工具インサートの置き換えによって、適合することができることを意味する。同じ種類の取付部材を例えば異なる方向に面するように成形してもよく、これは、取付部材の金型の異なる主な型開き面を必要とする。
【００３２】
好ましい実施の形態では、第１の金型部分が第１の金型キャビティを画定し、主な型開き面を有し、金型取付具は第２の金型キャビティを画定する。金型取付具は、主な型開き面に対して概ね直交して、側部から第１の金型部分に連結されるように構成されている。
【００３３】
本発明はまた、幾つかの付加的な取付部材のうちの１つを有する導管用クリップを成形する方法であって、リビングヒンジによって接合される半円形部分を含む円形クリップのための第１のキャビティを有する第１の割型を作製するステップと、幾つかの第２の割型のうちの１つを、第１の割型の主な型開き面に対して概ね直交して第１の割型の側面に取着するステップであって、選択された第２の割型は付加的なクリップ取付部材のための第２のキャビティを画定しており、第１のキャビティ及び第２のキャビティは連通している、取着するステップと、第１のキャビティ及び第２のキャビティにおいて導管用クリップを成形するとともに、成形された導管用クリップを離型させるように第１の割型及び第２の割型を別々に開くステップと、を含む、方法を提供する。
【００３４】
一実施の形態では、第２の割型は、第１の割型の主な型開き方向に対して直交する主な型開き方向を有する。
【００３５】
本発明の他の特徴は、添付の図面において例としてのみ示される幾つかの好ましい実施形態の以下の説明から明らかになるであろう。
【図面の簡単な説明】
【００３６】
【図１】本発明の第１の実施形態による、矢印形マウントを有する閉じた導管用クリップを示す図である。
【図２】エッジブラケットマウントを有する代替的なクリップを開状態で示す図である。
【図３】図２のクリップを閉状態で示す図である。
【図４】一体成形されたファーツリー締結具を有する、本発明の第３の実施形態を示す図である。
【図５】ｐ−クリップブラケットマウントを有する、本発明の第４の実施形態を示す図である。
【図６】本発明による導管用クリップであるが、付加的な成形された取付具を有しない導管用クリップを示す図である。
【図７】図６のクリップを閉状態で示す図である。
【図８】スタッドマウントを有する、本発明の第６の実施形態を示す図である。
【図９】本発明によって容易になる、金型部分又は金型インサートの種々の構成を概略的に示す図である。
【図１０】本発明によって容易になる、金型部分又は金型インサートの種々の構成を概略的に示す図である。
【図１１】本発明によって容易になる、金型部分又は金型インサートの種々の構成を概略的に示す図である。
【図１２】本発明によって容易になる、金型部分又は金型インサートの種々の構成を概略的に示す図である。
【発明を実施するための形態】
【００３７】
図面を参照すると、図７は、リビングヒンジ１３によって接合されている２つの半円形部材１１、１２を含む、成形された一体のケーブルクリップ１０を示す。クリップは、必要な強度及び弾性を有する任意の好適なプラスチック材料製とすることができる。
【００３８】
クリップは、外側に、不連続的であり２つの円形のアレイで構成されている直立肩部分１５によって境界を定められている周方向トラック１４を画定している。下側部材１２は（図示のように）トラック１４を画定しているそれらの部分の軸方向外側に付加的な対称の肩部分１６を有する。
【００３９】
図６に見られるように、一方の部材１２の雄フラップ１７が、他方の部材１１の雌型凹部１８に係合可能であり、該フラップの開口２０に係合する凹部のペグ１９によって保持される。フラップ１７及び凹部１８は解放可能なラッチを含む。第２の雄フラップ２１及び凹部２２が、ヒンジ側で半円形部材のための場所を提供する。しかし、他の種類のラッチが可能であり、図示の実施形態は閉じたときにクリップ１０の内側に平滑である面一の平面を提供することが留意されるであろう。
【００４０】
使用時に、クリップ１０は導管の周囲に閉じられ、肩部１５間のトラック１４の周りに位置付けられるケーブルタイによって基材に固定される。ケーブルタイは、包囲形態によってクリップを閉状態に維持するようにも働く。肩部分１５によって横スリップが防がれる。ケーブルタイは、それ自身がファーツリー締結具等の一体取付装置を含むことができるか、又は簡素なものであり、穴を通って若しくは取付基材の形態の周りに係合することができる。
【００４１】
クリップ内では、典型的には円形であり実質的に連続的な直立突起３１が、相対的な軸方向移動を防止するように導管と係合するか又は導管に嵌まる。導管は、突起３１と係合するように好適なチャネルを画定することができ、また例えば、螺旋状であるか又は溝付きの外装シースを含むことができる。他の形態の物理的な直立部も当然ながら可能であり、導管の形状に正確に係合するように成形することができる。突起３１は不連続的であってもよい。代替として非スリップ面を設けてもよい。
【００４２】
肩部分１５は、図示のように互いに垂直な方向へ平坦な上部を有する。したがって、各突起のフランク端３２は直線状であり、円形方向及び軸方向の両方において直接隣接した部分と同一平面上にある。この構成は、基材又は別の導管用クリップに対する密着を可能にし、回転防止機能部でもある。
【００４３】
隣接部分１５の両端は好ましくは、図示のように、中心において周方向トラック１４と実質的に合流する連続的な平坦な縁を画定するように合流する。この構成は、装着基材又は隣接する構成要素に対するクリップの厚さを最小限に抑える。
【００４４】
開口３３が、スクリュードライバーブレード等の工具を押し通すことによってフラップ１７を解放することを可能にする。
【００４５】
付加的な肩部分１６は、材料断面を増大させることなくクランプ荷重の良好な抵抗を可能にし、これから説明するように代替的な装着機能部の追加を更に容易にする。
【００４６】
図１は、一体成形された矢印形締結具４１を示し、図２及び図３はブラケット締結具４２を示す。同様に、図４及び図５は、ファーツリー締結具４３、及びねじ等のための穴４５を有するｐ−クリップマウント４４をそれぞれ示す。図８はスタッドマウント４６を示す。
【００４７】
付加的な締結具を有するこれらの実施形態は、図７の基本的なクリップ構成を有する金型工具のインサートを変えることによって簡便に成形することができる。したがって、一体的な締結具は開放したクリップとインラインで成形され、リビングヒンジ１３と反対方向に突出するため、部材の一方１２は一方の側に他方の部材１１を有し、他方の側に締結部分を有する。
【００４８】
更なる安全性のために必要であればケーブルタイを受け入れるために、部材１２と付加的な締結部分との間に開口を成形することができる。肩部分１５を全ての実施形態に設けることによって、一体成形された締め具の故障又は破損の場合にケーブルクリップを取付具に用いることができることが理解されるであろう。
【００４９】
付加的な締結具を一方の端に配置する直線状の金型構成はまた、二重ケーブルクリップの成形を容易にし、それによって２つの導管を並べて固定することができる。したがって、図９は、付加的な取付具用の２部分金型（two-part mould）５２を有する構成において用いることができるケーブルクリップ用の２部分金型５１を概略的に示す。そのような構成を用いて例えば図８に従ったクリップを成形することができる。
【００５０】
図１０は、閉鎖部分が中間で合うように対向する両端にそれぞれのヒンジ部分を有する二重クリップを成形する２部分金型５１を並べて示す。クリップ部分の直径は同じである必要はない。
【００５１】
図１１は、図５のｐ−クリップマウント等の付加的な取付部材用の中間金型５２を有する、図１０の金型５１を並べて示す。この場合も同様に対向する両端にヒンジ部分が位置する。この実施形態では、中間部分５２の主な型開き方向は、選択された取付部材に適するように端部分５１と同じである。
【００５２】
図１２は、異なる離型方向を有し、したがって取付部材の異なる方向に対応する中間金型５２を有する金型５１を並べて示す。図９の構成における幾つかの異なる離型方向も当然ながら可能である。
【図１】
2013501900.tif 000003
【図２】
2013501900.tif 000004
【図３】
2013501900.tif 000005
【図４】
2013501900.tif 000006
【図５】
2013501900.tif 000007
【図６】
2013501900.tif 000008
【図７】
2013501900.tif 000009
【図８】
2013501900.tif 000010
【図９】
2013501900.tif 000011
【図１０】
2013501900.tif 000012
【図１１】
2013501900.tif 000013
【図１２】
2013501900.tif 000014
【国際調査報告】
2013501900.tif 000015
2013501900.tif 000016